(57)【要約】【課題】確実に設置でき、簡単な操作で、希望通りの使い方ができ、かつ安全に使用しうるベッド用柵を提供すること。【解決手段】本発明のベッド用柵は、図１において、（イ）固定用部材Ｉは、Ｌ形部材２、上部にソケット１０を有する垂直脚７及び前記Ｌ形部材２の水平部に平行に設けられた水平部材６からなり、前記Ｌ形部材の水平部の端部に係合部９を有し、前記水平部材６の端部はソケット部１０に固定されている。（ロ）可動部材ＩＩは、水平部の端部に係合部１８を有する短い垂直部を有するＬ形部材４と同様の短い垂直部を有するＬ形部材３とを上下に配置し、これらが支持部材により連接されており、下部のＬ形部材の端部にはソケット部１７を有すると共に該ソケット部には下方へ伸びた垂直脚８を有する。及び（ハ）案内部材ＩＩＩは、端部が係合部１８に係合する垂直部５ａとソケット部１７に嵌合する垂直部５ｅを有する環状体５からなる。【選択図】  図１
2005052244.tif 000002
【特許請求の範囲】
【請求項１】
（イ）支持台に搭載されたＬ形部材、上部にソケットを有する垂直脚及び前記Ｌ形部材の水平部に平行に設けられた水平部材からなり、前記Ｌ形部材の水平部の端部に係合部を有し、前記水平部材の端部はソケット部に固定されており、これら水平部と水平部材との間には支持部材を有する固定用部材、
（ロ）水平部の端部に係合部を有する短い垂直部を有するＬ形部材と同様の短い垂直部を有するＬ形部材とを上下に配置し、これらが支持部材により連接されており、下部のＬ形部材の端部にはソケット部を有すると共に該ソケット部には下方へ伸びた垂直脚を有する可動部材、及び
（ハ）端部が係合部に係合する垂直部とソケット部に嵌合する垂直部を有する環状体からなる案内部材であることを特徴とするベッド用柵。
【請求項２】
前記ソケット部は、上部に円形内面を有し，下部に多角形内面を有し、これに多角形からなる嵌合垂直部が嵌合する間欠回転機構を有することを特徴とする請求項１に記載のベッド用柵。
【請求項３】
前記案内部材のソケット部に嵌合する垂直部は、端部形状が六角形であることを特徴とする請求項１又は請求項２に記載のベッド用柵。
【請求項４】
前記案内部材が７字形状であることを特徴とする請求項１又は乃至請求項３のいずれかに記載のベッド用柵。
【請求項５】
請求項１乃至請求項４のいずれかに記載のベッド用柵の取付け金具が両端部にストッパーを有するコの字形状部材からなり、更に該コの字形状部材には垂直部脚と嵌合する凹部を有しかつ該凹部には固定部材挿入用孔を有することを特徴とするベッド用柵。
【請求項６】
請求項１乃至請求項５のいずれかに記載のベッド用柵に取付けた補助ケースであって、底の浅い箱を２個上下に配置し、これらの箱の４隅を支持部材で支持したことを特徴とする補助ケース。
【発明の詳細な説明】
【０００１】
【発明の属する技術分野】本考案は、可動部材並びに案内部材を有するベッド用柵に関し、更に詳しくは本発明は、確実に設置でき、簡単な操作で、希望通りの使い方ができ、かつ安全に使用しうる可動部材並びに案内部材を有するベッド用柵に関するものである。
【０００２】
【従来の技術】近年、ベビーブームが去って、今や高齢化社会が到来し、老人・身体障害者など体が不自由な多くの人達が介護施設で生活しているが、介護施設が足りないことは勿論のこと、このような施設に入れない多くの人達は、家庭での介護を余儀なくされている。特に老人・身体障害者などが、自らベッドから立ち上がる時、大変な努力をして立ち上がろうとして、体をひねり骨折したり、無理して手足に力を入れて立って転倒する等の事故に繋がる場合が多く見られる。また老人などはトイレに行く回数が多いが、介護する近親の人達は、夜中にその都度、起こされて（又は起こして）トイレに連れて行くことになり、介護期間中は心身共に疲れ果ててしまうのが現状である。一方、夜間は、老人におむつをして過ごす方法もあるが、意識のある老人側からみれば、最も屈辱的なことであり問題も多い。このような観点から最近では、各種のベッド補助製品が販売されているが、その中でも、スイングアーム介助バー  ＫＡ−０９５（商品名、パラマウントベッド株式会社製）が販売されており、このものは、ベッドサイドに取り付けられる柵の側部に可動自在の柵状のスイングアームを取付けた介助バーが開示されている（（株）ハートウェル発行「おもいやりの和泉」Ｖｏｌ．１２、Ｐ６〜７、２００３年２月末現在参照）。また柵状の着脱サイドレールの脚の部分からベッド方向に直角に突き出た嵌合部に挿入されたＰ型手摺り移動バーが嵌合されており、老人などがベッドから起き上がるとき、この移動バーを持って起き上がり該移動バーを移動させてベッドから降りるようにして使用されることが開示されている（フランスベッド発行の取扱い説明書、マルチ移動支援バーＳＥ−０７、ＳＥ−０８参照）
【０００３】
【発明が解決しようとする課題】しかしながら、前述のごとき製品は、老人が比較的元気な時に使用されるように設計されており、老人が体を捻じることができない状態の人や手足が不自由な人には適当でない。そこで、本発明者は、老人が体を捻じることができない状態の人や手足が不自由な人であっても、老人自ら又は介護者の立場に立って、老人側からみれば、自らの使用動作が簡単にでき、かつ安全に使用できるものであり、また介護者からみれば、取付けが簡単で、かつ確実であることを課題として検討したところ、固定用部材に可動部材と案内部材を着脱自在に取り付けることにより、確実に設置でき、簡単な操作で、希望通りは使い方ができ、かつ安全に使用しうるベッド用柵が得られることを見出し、ここに本発明をなすに至った。したがって、本発明が解決しようとする課題は、確実に設置でき、簡単な操作で、希望通りの使い方ができ、かつ安全に使用しうるベッド用柵を提供することにある。
【０００４】
【課題を解決するための手段】本発明の上記課題は、以下の各発明によってそれぞれ達成される。
【０００５】
（１）（イ）支持台に搭載されたＬ形部材、上部にソケットを有する垂直脚及び前記Ｌ形部材の水平部に平行に設けられた水平部材からなり、前記Ｌ形部材の水平部の端部に係合部を有し、前記水平部材の端部はソケット部に固定されており、これら水平部と水平部材との間には支持部材を有する固定用部材、
（ロ）水平部の端部に係合部を有する短い垂直部を有するＬ形部材と同様の短い垂直部を有するＬ形部材とを上下に配置し、これらが支持部材により連接されており、下部のＬ形部材の端部にはソケット部を有すると共に該ソケット部には下方へ伸びた垂直脚を有する可動部材、及び
（ハ）端部が係合部に係合する垂直部とソケット部に嵌合する垂直部を有する環状体からなる案内部材であることを特徴とするベッド用柵。
（２）前記ソケット部は、上部に円形内面を有し，下部に多角形内面を有し、これに多角形からなる嵌合垂直部が嵌合する間欠回転機構を有することを特徴とする前記第１項に記載のベッド用柵。
（３）前記案内部材のソケット部に嵌合する垂直部は、端部形状が六角形であることを特徴とする前記第１項又は第２項に記載のベッド用柵。
（４）前記案内部材が７字形状であることを特徴とする前記第１項乃至第３項のいずれかに記載のベッド用柵。
（５）前記第１項乃至第４項のいずれかに記載のベッド用柵の取付け金具が両端部にストッパーを有するコの字形状部材からなり、更に該コの字形状部材には垂直部脚と嵌合する凹部を有しかつ該凹部には固定部材挿入用孔を有することを特徴とするベッド用柵。
（６）前記第１項乃至第５項のいずれかに記載のベッド用柵に取付けた補助ケースであって、底の浅い箱を２個上下に配置し、これらの箱の４隅を支持部材で支持したことを特徴とする補助ケース。
【０００６】
【発明の実施の形態】以下、本発明を図面を用いて具体的に説明するが、本発明は、以下に説明する具体的事例に限定されるものではない。図１は、本発明の可動部材並びに案内部材を有するベッド用柵の全体を示す断面図である。図２は、図１のベッド用柵に係る固定用部材を示す断面図である。図３は、ベッド用柵に係る可動部材を示断面図である。図４は、ベッド用柵に係る案内部材を示す断面図である。図１又は図２において、固定用部材Ｉは、支持台１４に搭載された垂直部脚２ａ及び水平部２ｂを有するＬ形部材２と上部にソケット１０を有する垂直脚７を有し、前記Ｌ形部材２の水平部２ｂに平行に設けられた水平部材６からなり、前記水平部２ｂの端部に係合部９を有し、前記水平部材６の端部はソケット部１０に固定されており、これら水平部２ｂと水平部材６との間には支持部材１２を有するものからなる（特に図２参照）。この係合部９の下端とソケット部１０の上面との間の間隔は、ｈ１  である。またこれらの垂直部脚２ａ及び垂直脚７の底部にはアジャスター１９を有しており、このアジャスター１９によって固定用部材Ｉの取付け後の高さの調整を行うことができる。ここで、図５に示されるように、ソケット部１０の内面は、上部１０Ｚ１  は、円形内面１０ａを有し、下部１０Ｚ２  は、多角形内面１０ｃを有している。また図３に示されるような可動部材ＩＩの下部のＬ形部材３には、短い垂直部材３ａを有し、該垂直部材３ａの先端部は多角形からなる嵌合垂直部１０ｂからなっており、前記ソケット部１０の多角形内面１０ｃに、この多角形からなる嵌合垂直部１０ｂが嵌合して間欠回転機構を形成する。
【０００７】
一方、この固定用部材Ｉは、支持台１４に載置又は固定されているので、組立時に労力を要することなく簡単にかつ容易に組立られる。更にこの固定用部材Ｉは、ベッドのサイドにあるベッド金具２０にベッド取付金具１３によって簡単に取り付けられる。このベッド取付金具１３は、断面コの字形状からなる平板であって、これらの両端にはストッパー１１、１１を有すると共に、該ベッド取付金具１３には、垂直部脚２ａ及び垂直部脚７の位置に対応した個所に凹部２１、２１を有しており、これらの凹部２１、２１にそれぞれ垂直部脚２ａ及び垂直部脚７を嵌合し、ノブ１６、１６によってベッド金具２０とベッド取付金具１３とを締め付け固定する。このように取付けられた固定用部材Ｉの係合部９及びソケット部８には、可動部材ＩＩの嵌合接続し、更に安全部材ＩＩＩを嵌合接続して使用するものである。
【０００８】
図３において、本発明に用いられる可動部材ＩＩは、水平部４ｂの端部に係合部１８を有する短い垂直部４ａを有するＬ形部材４と同様の短い垂直部材３ａ（以下、垂直部、嵌合垂直部などともいう。）を有するＬ形部材３とが支持部材１５により連接されており、下部のＬ形部材３の端部にはソケット部１７を有すると共に該ソケット部１７には下方へ伸びた垂直脚８を有するものからなる。前記の短い垂直部４ａの下端と短い垂直部材３ａの下端との間の間隔は、ｈ２  である。また係合部１８の下端とソケット部１７の上面との間隔は、ｈ３  である。またこの垂直脚６の底部にはアジャスター１９を有している。このような可動部材ＩＩは、固定用部材Ｉの係合部９及びソケット部１０にそれぞれ垂直部４ａ及び垂直部３ａを勘合して用いる。この際、ソケット部１０は、間欠回転機構を有していてもよい。また垂直部４ａの端部には、蓋を有していてもよい。垂直部３ａは、蓋を有する必要がないので、蓋を有していない。同様に案内部材ＩＩＩの垂直部５ｅの端部には、蓋を有しない。更に図４において、本発明に用いられる案内部材ＩＩＩは、７の字形状を有しており、具体的には、１本の部材を短い垂直部５ａ、水平部５ｂ、垂直部５ｃ、傾斜部５ｄ及び垂直部５ｅが形成されるように加工されている。この際、短い垂直部５ａの下端と垂直部５ｅの下端との間隔はｈ４  である。このように、これらの間隔は、ｈ１  ＝ｈ２  ＝ｈ３  ＝ｈ４  である。また垂直部５ａの端部には、蓋を有していてもよい図５に示されるように、案内部材ＩＩＩの垂直部５ｅの先端部は、前記の可動部材ＩＩの垂直部材３ａの先端部と同様に、多角形からなる嵌合垂直部１０ｂからなっており、前記ソケット部１０の多角形内面１０ｃに、この多角形からなる嵌合垂直部１０ｂが嵌合して間欠回転機構を形成する。前記の案内部材ＩＩＩは、通常は、可動部材ＩＩの係合部１８及びソケット部１７にそれぞれを嵌合して使用されるが、必要に応じて直接、固定用部材Ｉの係合部９及びソケット部１０に案内部材ＩＩＩの垂直部５ａ及び垂直部５ｅを嵌合して用いることもできる。即ち、重度の軽い老人の場合には、可動部材ＩＩの代わりに安全部材ＩＩＩを嵌合接続して使用してもよい。前記の如き間欠回転機構を採用する場合には、可動部材ＩＩの垂直部又は垂直嵌合部３ａ及び案内部材ＩＩＩの垂直部又は垂直嵌合部５ｅで用いられる多角形外面としては、好ましくは六角形がよく、また固定用部材Ｉのソケット部１０及び稼動部材ＩＩのソケット部１７で用いられる多角形内面としては、１２角形が好ましい。このような組合せにより稼動部材ＩＩ並びに安全部材ＩＩＩの角度を３０°ずつ回転するように構成することができる。
【０００９】
図５は、本発明に用いられる間欠回転機構の構造を示す斜視図である。図５のａにおいて、可動部材ＩＩの嵌合垂直部３ａの下部の先端部は、多角形、好ましくは６角形１０ｂを有している。一方、固定用部材Ｉには、ソケット部１０を有しており、このソケット部１０の内面は、多角形，好ましくは１２角形１０ｃからなっている。更に具体的には、ソケット部１０の上端にはワッシャー１０ｄが溶接等によって固定されており、これによりソケット部１０に嵌合された嵌合部材（３ａ，５ｅ）のガタツキが防止される。このソケット部１０の上部Ａの内面は、円形部１０Ｚ１  を形成しており、下部Ｂの内面は、１２角形内面部１０Ｚ２  が形成されている。下部Ｂの内面が１２角形内面部１０Ｚ２  からなることにより、角度の回転が滑らかに行うことができる。このように嵌合垂直部３ａとソケット部１０を多角形で構成した間欠回転機構を用いて所望の角度へ回転させることができる。即ち図５において、柵のアームを引き上げることにより、１２角内面部１０ｃに嵌まっている６角ボルト１０ｂが上部Ａの位置まで抜かれ、その状態で３０°回転させ、ついで、アームを下げることにより６角ボルト１０ｂを１２角形内面部１０Ｚ２  内へ嵌合させる。これによってアームは、この位置に固定される。このように可動部材ＩＩ及び案内部材ＩＩＩを適宜３０°ずつ回転させることにより、ジグザグ形から直線形まで自由自在の角度で動かすことができるという優れた効果を奏するものである。また図５のｂは、本発明に用いられる別の実施の形態を示す断面図である。図５のｂでは、図５のａに示されているソケット部１０の上部Ａの内面円形部１０Ｚ１  を有していないものであり、この場合には、アームを回転させる手段としては、１２角内面部１０ｃに嵌まっている６角ボルト１０ｂを抜き、ついで、所望の角度回転させてから、再び１２角内面部１０ｃ内へ６角ボルト１０ｂを嵌合することにより行う。
【００１０】
本発明に用いられる固定用部材、可動部材、及び７形状の案内部材の形状は、特に限定されないが、好ましくは管状体がよく、またこれらの材質は、鉄製、合金、プラスチック、木材等が用いられ、強度等を考慮すると鉄製が好ましい。また管状体の直径は、強度さえ保たれれば、特に制限されないが、老人等が持ち易い方が好ましく、２５〜３５ｍｍが好ましい。またＬ形部材２、３、４及び７の字形状部材５の管状体の表面には、プラスチックで覆われていることが好ましく、この覆いは、樹脂塗料、樹脂フィルム等の形態で設けることができる。これにより鉄又は金属製である管状体の感触（冷たさや滑りやすさの少ない）が良好となる。また本発明では、係合部とソケット部によって、可動部材ＩＩ及び案内部材ＩＩＩを所望の角度にしかも間欠的に回転させることができるので、自由に希望する個所へ行けるように調整することができる。したがって、昼間は、ベッドの保護柵として使用し、また夜間は、ベッドの側に置いたトイレ等に案内又は誘導するための案内手摺りとしても使用できるので、これにより老人等は、このベッド柵を使用して自分で無理なく起き上がり、案内部材ＩＩＩを手摺りとしてこれを伝わってトイレまで行き着くことができる。更に老人等は、ベッドから起き上がる際、７の字形状の案内部材ＩＩＩの垂直部５ｃを手で握って起き上がり、かつ自らこの案内部材ＩＩＩの角度をベッドサイドへ押して、そこで立ち上がる等の行動をすることができる。この垂直部５ｃの長さは、適宜の長さにして最も持ち易い長さを選択することは、簡単な試行により適宜成し得る常套手段である。
【００１１】
図６は、本発明のベッド用柵の取手の使用例を示す断面図である。図６のａは、固定用部材Ｉに対して、可動部材ＩＩ及び案内部材ＩＩＩを動かした場合を示す上面図である。をベッド柵の取手（固定用部材Ｉ、可動部材ＩＩ及び案内部材ＩＩＩの上方のＬ型部材２、３、５を別名、取手ともいう。）を可動部材ＩＩ及び案内部材ＩＩＩを真っ直ぐに伸ばして（１８０°）使用する例を示したもので、固定用部材Ｉに対して、角度を９０°からそれぞれ３０°ずつ間欠的に回転させて移動した場合で使用する場合を示している。図６のｂは、可動部材ＩＩと案内部材ＩＩＩとの角度をそれぞれの角度に調整した場合の上面図である。（１）は、固定用部材Ｉに対して、可動部材ＩＩとの角度を９０°とし、可動部材ＩＩと案内部材ＩＩＩの角度を９０°とした場合である。また（２）は、固定用部材Ｉと可動部材ＩＩの角度を１２０°とし、更に可動部材ＩＩと案内部材ＩＩＩとの角度を同様に１２０°と間欠的に回転させた場合である。（３）は、固定用部材Ｉと可動部材ＩＩの角度を１５０°とし、更に可動部材ＩＩと案内部材ＩＩＩとの角度を同様に１５０°と間欠的に回転させた場合である。更に（４）は、固定用部材Ｉ、可動部材ＩＩ及び案内部材ＩＩＩとの角度を共に１８０°として真っ直ぐに伸ばした場合である。このように、可動部材ＩＩ及び案内部材ＩＩＩを自由に動かしてで前方の行きたいところへ行く場合である。また（４）の場合は、固定用部材Ｉ、可動部材ＩＩ及び案内部材ＩＩＩの角度をそれぞれ１８０°として水平にし、ベッドと平行にすることにより、使用者がベッドからの転落を防止するための態様でもある。
【００１２】
【発明の効果】本発明によれば、（１）（イ）固定用部材、（ロ）可動部材、及び（ハ）環状体の案内部材からなるベッド用柵を使用することによって、確実に設置でき、簡単な操作で、希望通りの使い方ができ、かつ安全に使用する（老人が起き上がるとき、腰を捻って腰を痛めたり骨折したりする危険がない。）ことができる。即ち更に詳しくその効果を示すと、以下の如くである。
（ａ）本発明に用いられるベッド取付金具を用いることによって、ベッドのベース枠、即ちベッド金具にワンタッチで容易に取付けが出来る。
（ｂ）ソケット部の回転軸部に間欠回転機構を設けたことにより、ベッド柵の回転取手部（可動部材及び案内部材）の使用動作が簡単にかつ容易に出来る。
（ｃ）ソケット部に間欠回転機構を設けると共にソケット部の上部側にワッシャーを設けたことにより、ベッド柵の回転取手部のガタツキを最小限の抑え、使用者（老人等）に安心感を与え、使用者が自由な角度（各３０°で６段階の使用）で操作が可能である。その際、他のアームとの隙間があり、危険性が少ない。
（ｄ）ベッド柵をベッドのベース枠に取付ける時、ベッド柵に取り付けのアジャスターに確実に固定することが出来る。
（ｅ）固定用部材（Ｉ）に嵌合している可動部材（ＩＩ）に替えて安全部材（ＩＩＩ）をセットする。即ち、回転軸部を抜き替え、一か所で使用が出来る。
（ｆ）ベッド柵の回転部をベッド柵と平行にすると、ベッド片側半分が保護柵として使用出来る。
（ｇ）スイングアーム（可動部材及び案内部材）を上下動により簡単に固定操作ができる。
（ｈ）ベッド金具からベッド用柵を取り外すことが容易であり、他のベットにも使用できる。
（ｉ）折り畳みが簡単かつ容易であり、コンパクトサイズで収納でき、郵送等の運搬に便利である。
（ｊ）老人等の身体の障害の程度に合わせて、介助バー（可動部材及び案内部材）の角度を自由に設定できる。即ち、従来のベッド用柵では、前述の如き問題点があるので、更に可動部材を設けて、特に、角度調整を大幅に改善して、使用者の転倒防止に対する安全性を最大限に発揮できる機能を有する、いわゆる、固定用部材、可動部材及び案内部材が機能的に動作してＺ型を形成しうるようにした。
【図面の簡単な説明】
【図１】本発明のベッド用柵の全体を示す断面図である。
【図２】図１のベッド用柵に係る固定用部材を示す断面図である。
【図３】ベッド用柵に係る可動部材を示断面図である。
【図４】ベッド用柵に係る案内部材を示す断面図である。
【図５】間欠回転機構の構造を示す断面図である。
【図６】各種角度に設定したベッド用柵の平面図である。
【符号の説明】
１  床面
２、３、４  Ｌ形部材
２ａ、３ａ、４ａ、５ａ  垂直部又は垂直挿入部
２ｃ  垂直部
２ｂ、３ｂ、４ｂ、５ｂ  水平部
５、７の字形状
６  水平部材
８  垂直部脚又は補助脚部
９、１８  係合部
１０、１７  ソケット部
１０ａ  ワッシャー
１０ｂ  外面多角形状
１０ｃ  内面多角形状
１０ｄ  ワッシャー
１０Ｚ１    ソケット部の上面
１０Ｚ２    ソケット部の下面
１１  ストッパー
１２  、１５  支持部材
１４  支持台
１６  ノブ（締め付けネジ）
１９  アジャスター
２０  ベッド金具
２１  凹部
Ｉ  固定用部材
ＩＩ  可動部材
ＩＩＩ  案内部材
【図１】
2005052244.tif 000003
【図２】
2005052244.tif 000004
【図３】
2005052244.tif 000005
【図４】
2005052244.tif 000006
【図５】
2005052244.tif 000007
【図６】
2005052244.tif 000008